(57)【要約】      （修正有）【課題】抄紙機の脱水フォイル装置において、フォイル片の横ずれ防止を図る。【解決手段】スライドシャフト２０の水平方向の移動により、フォイル支持部材が可変機構によりスライドブロック１４に対して移動するに際して、前記可変機構は、水平方向に直線となるようにフォイル支持部材に設けた前方案内孔３２に対してスライドブロック１４がスライド移動する前方スライド機構と、水平方向に対して傾斜するようにフォイル支持部材に設けた後方案内孔３３に対してスライドブロック１４がスライド移動する後方スライド機構と、水平面においてフォイル片５０の長尺方向に対して傾斜するように設けた上面案内溝３１をスライドブロック１４がスライド移動する上部スライド機構を備えることで、スライドブロック１４の移動に応じてフォイル支持部材が傾斜し、フォイル片５０の前方部と無端状金網との間のフォイル角度に変化を与える。【選択図】図３
0003208155.tif 000002
【実用新案登録請求の範囲】
【請求項１】
複数の長尺状のフォイル片に対して交差して前方側から後方側に移動する無端状金網を備え、前記無端状金網により搬送される紙料から水分を除去する抄紙機の脱水フォイル装置において、
前記フォイル片の長尺方向にスライド移動可能に装着されたスライド軸と、
前記スライド軸に固定される複数のブロック体と、
前記ブロック体に対して可変機構を介して移動可能に装着され、上面に前記フォイル片が固定されたフォイル支持部材と、を備え、
前記スライド軸の水平方向の移動により、前記フォイル支持部材が前記ブロック体に対して移動するとともに、
前記可変機構は、
前記ブロック体の上面に装着された上部移動体と、前記フォイル支持部材の裏面側に形成して前記上部移動体が当接して移動する上面案内溝とで構成される上部スライド機構と、
前記前方側において、前記フォイル支持部材に対して前記ブロック体がスライド移動する前方スライド機構と、
前記後方側において、前記フォイル支持部材に対して前記ブロック体がスライド移動する後方スライド機構と、
を含むことを特徴とする脱水フォイル装置。
【請求項２】
前記上部スライド機構は、
前記ブロック体の上面側に装着された上部移動体は、周囲が回転する回転コロで形成する
請求項１に記載の脱水フォイル装置。
【請求項３】
前記前方スライド機構は、
前記ブロック体の前方側に装着された前方回転コロと、前記フォイル支持部材に形成して前記前方回転コロが当接して移動する前方面案内孔とで構成する
請求項１又は請求項２に記載の脱水フォイル装置。
【請求項４】
前記後方スライド機構は、
前記ブロック体の後方側に装着された後方回転コロと、前記フォイル支持部材に形成して前記後方回転コロが当接して移動する後方面案内孔とで構成する
請求項１〜請求項３のいずれかに記載の脱水フォイル装置。
【請求項５】
前記前方スライド機構は、水平方向に直線となるように前記フォイル支持部材に設けた前方案内孔に対して前記ブロック体がスライド移動するよう構成し、
前記後方スライド機構は、水平方向に対して傾斜するように前記フォイル支持部材に設けた後方案内孔に対して前記ブロック体がスライド移動するよう構成し、
前記上部スライド機構は、水平面において前記フォイル片（５０）の長尺方向に対して傾斜するように設けた前記上面案内溝を前記ブロック体がスライド移動するよう構成することで、
前記ブロック体の移動に応じて前記フォイル支持部材が傾斜し、前記フォイル片の前方部と前記無端状金網との間のフォイル角度に変化を与える
請求項１乃至請求項４のいずれかに記載の脱水フォイル装置。
【請求項６】
前記前方スライド機構は、水平方向に対して傾斜するように前記フォイル支持部材に設けた前方面案内孔に対して前記ブロック体がスライド移動するよう構成し、
前記後方スライド機構は、水平方向に対して前記前方面案内孔と同じ方向に傾斜するように前記フォイル支持部材に設けた後方面案内孔に対して前記ブロック体がスライド移動するよう構成し、
前記上部スライド機構は、水平面において前記フォイル片（５０）の長尺方向に沿って設けた前記上面案内溝を前記ブロック体がスライド移動するよう構成することで、
前記ブロック体の移動に応じて前記フォイル支持部材が昇降動作を行う
請求項１乃至請求項４のいずれかに記載の脱水フォイル装置。
【請求項７】
前記回転コロは、前記ブロック体に固定される軸と、該軸に対して回転可能に装着されたベアリング部と、該ベアリング部の周囲に装着された環状接触部と、を備える請求項２〜請求項４のいずれかに記載の脱水フォイル装置。
【請求項８】
前記回転コロは、前記ブロック体に固定される軸と、該軸に対して回転可能に装着されたリング状の環状接触部と、を備える請求項２〜請求項４のいずれかに記載の脱水フォイル装置。
【請求項９】
前記環状接触部は樹脂で構成され、前記ベアリング部の周囲に沿って断面が湾曲突起となるよう形成された請求項７又は請求項８に記載の脱水フォイル装置。
【請求項１０】
前記ブロック体は、スライドベースに対して移動可能に嵌合し、前記スライドベースと脱水フォイル装置のボックス固定Ｔバーとの間に、波状の凹凸を繰り返す板ばねを介在させる
請求項１〜９のいずれかに記載の脱水フォイル装置。
【請求項１１】
前記フォイル片の長尺方向に沿って複数の板ばねを介在させる
請求項１０に記載の脱水フォイル装置。
【考案の詳細な説明】
【技術分野】
【０００１】
本考案は、抄紙機において搬送される紙料から水分を除去する脱水フォイル装置に関し、特に、紙料を搬送する無端状金網に対するフォイル片のフォイル角度や位置を、フォイル片の交換なしに調整可能な脱水フォイル装置の構造に関する。
【背景技術】
【０００２】
抄紙機の脱水フォイル装置は、図１３及び図１４に示すように、回転して移動する無端状金網１００の上方の一端側より、ストックインレット１０１を介してパルプを含んだ大量の水分から成る紙料１０２を連続的に噴出し、この紙料１０２が前記無端状金網１００によって搬送され、その際に脱水作用が行われるものである。
無端状金網１００の下側には、無端状金網１００の上面をテーブル状に平坦ならしめるため、且つ、上記脱水作用を促進させるために、無端状金網１００の移動方向に対してフォイル支持部材１０３上に固定されるフォイル片１０４の長手方向が交差するように、複数の長尺状のフォイル部１０５が配置され、フォイル片１０４の前方部と無端状金網１００との間に両者が接触するシール部２００を形成している。そして、無端状金網１００の高速搬送により、フォイル片１０４の後方部と無端状金網１００との間に負圧発生空間（空間部２０１）が形成され、次段のフォイル片１０４の前方部と無端状金網１００との間のシール部２００′の存在により、紙料１０２中の水分は、自然流下及び下方からの真空引きにより、無端状金網１００を通して下方に流下し、パルプ繊維のみが金網上に残留し、紙匹が形成される脱水作用が行われる。
【０００３】
前記した脱水作用は、フォイル片１０４の後方部と無端状金網１００との間に形成された空間部２０１の体積によりその効果が異なるので、フォイル片１０４の前方部と無端状金網１００とのフォイル角度θを変化させることにより前記空間部２０１の体積を変化させて脱水効果を調整することができる。また、紙の地合を調整するためには脱水効果を変化させることが必要であり、そのため得られる紙の紙質に応じてフォイル角度θの調整が行われている。
【０００４】
そこで、無端状金網１００の回転移動を停止することなく、また、フォイル片上面の傾斜角度が異なるフォイル片に交換することなく、前記フォイル角度を調整可能として脱水効果を変化させる脱水フォイル装置の構造が種々提案されている。例えば、フォイル角度の調節のためのカム駆動の調整手段を有する脱水フォイル装置が、特許文献１に示されている。
【０００５】
この脱水フォイル装置を構成するフォイル部３００の単体は、図１５ないし図１７に示すように、長尺状となるフォイル支持部材３０１上にフォイル片３０２が固定され、前記フォイル支持部材３０１は、フォイル片３０２の後方側のカム溝３０３とカムフォロワーピン３０４とのセットによりフォイル搭載基材３０５に連結されている。また、フォイル片３０２の前方側は、フォイル部３００の前方部の高さを実質的に一定に維持するため、前方側においてもカム溝３０６とカムフォロワーピン３０７とのセットを有している。そして、フォイル搭載基材３０５に形成されたカム溝３０３は、図１５に示すように、上下方向に斜めになるように長手方向に沿った長孔状溝となっている。カム溝３０３とカムフォロワーピン３０４とのセットは、長尺状のフォイル部３００において一定間隔毎に複数形成されている。また、フォイル部３００の端部には角度調節用制御軸３０８が連結され、この角度調節用制御軸３０８は、フォイル搭載基材３０５に固定された支持ブラケット３０９に軸着されている。
【０００６】
したがって、角度調節用制御軸３０８を回転させると支持ブラケット３０９に対して角度調節用制御軸３０８が長手方向（図１５の左右方向）に進退するように動作し、それにともないフォイル支持部３０１が移動する。フォイル支持部３０１が移動すると、それに応じてカムフォロワーピン３０４がカム溝３０３内を移動し、フォイル搭載基材３０５に対してフォイル支持部３０１を揺動させてフォイル角度θを調整することが可能となる。この動作において、フォイル片３０２の後方側のカム溝３０３とカムフォロワーピン３０４とのセットは、フォイル角度θの調整に作用し、前方側のカム溝３０６とカムフォロワーピン３０７とのセットは、フォイル片３０２前方部が浮き上がるのを防止するように作用する。したがって、カム溝も後方側と前方側とでは傾斜角度が異なっている。
【先行技術文献】
【特許文献】
【０００７】
【特許文献１】特許第３３６３１８３号公報
【考案の概要】
【考案が解決しようとする課題】
【０００８】
上記構造の脱水フォイル装置によれば、紙料１０２を搬送する無端状金網１００がフォイル片３０２上を高速で移動しながら強力な脱水を行うため、揺動可能なフォイル支持部３０１及びフォイル片３０２に搬送方向の横ずれが発生する場合があり、高精度なフォイル角度の調整ができず所望の脱水作用を発揮させるのに支障をきたす、という問題点があった。
【０００９】
本考案は上記実情に鑑みてなされたもので、フォイル片の横ずれ防止を図ることができる抄紙機の脱水フォイル装置を提供することを目的とする。
【課題を解決するための手段】
【００１０】
上記目的を達成するため請求項１の抄紙機の脱水フォイル装置は、複数の長尺状のフォイル片（５０）に対して交差して前方側から後方側に移動する無端状金網を備え、前記無端状金網により搬送される紙料から水分を除去する抄紙機の脱水フォイル装置において、
前記フォイル片（５０）の長尺方向にスライド移動可能に装着されたスライド軸（スライドシャフト２０）と、
前記スライド軸（スライドシャフト２０）に固定される複数のブロック体（スライドブロック１４）と、
前記ブロック体（スライドブロック１４）に対して可変機構を介して移動可能に装着され、上面に前記フォイル片（５０）が固定されたフォイル支持部材（３０）と、を備え、
前記スライド軸（スライドシャフト２０）の水平方向の移動により、前記フォイル支持部材（３０）が前記ブロック体（スライドブロック１４）に対して移動するとともに、
前記可変機構は、
前記ブロック体（スライドブロック１４）の上面に装着された上部移動体と、前記フォイル支持部材（３０）の裏面側に形成して前記上部移動体が当接して移動する上面案内溝（３１，３９）とで構成される上部スライド機構と、
前記前方側において、前記フォイル支持部材（３０）に対して前記ブロック体（スライドブロック１４）がスライド移動する前方スライド機構と、
前記後方側において、前記フォイル支持部材（３０）に対して前記ブロック体（スライドブロック１４）がスライド移動する後方スライド機構と、
を含むことを特徴としている。
【００１１】
請求項２は、請求項１の脱水フォイル装置において、
前記上部スライド機構は、
前記ブロック体（スライドブロック１４）の上面側に装着された上部移動体は、周囲が回転する回転コロ（４０）で形成することを特徴としている。
【００１２】
請求項３は、請求項１又は請求項２の脱水フォイル装置において、
前記前方スライド機構は、
前記ブロック体（スライドブロック１４）の前方側に装着された前方回転コロ（４０）と、前記フォイル支持部材（３０）に形成して前記前方回転コロ（４０）が当接して移動する前方面案内孔（３２，３８）とで構成することを特徴としている。
【００１３】
請求項４は、請求項１〜請求項３のいずれかに記載の脱水フォイル装置において、
前記後方スライド機構は、
前記ブロック体（スライドブロック１４）の後方側に装着された後方回転コロ（４０）と、前記フォイル支持部材（３０）に形成して前記後方回転コロ（４０）が当接して移動する後方面案内孔（３３）とで構成することを特徴としている。
【００１４】
請求項５は、請求項１乃至請求項４のいずれかに記載の脱水フォイル装置において、
前記前方スライド機構は、水平方向に直線となるように前記フォイル支持部材（３０）に設けた前方面案内孔（３２）を前記ブロック体（スライドブロック１４）がスライド移動するよう構成し、
前記後方スライド機構は、水平方向に対して傾斜するように前記フォイル支持部材（３０）に設けた後方面案内孔（３３）に対して前記ブロック体（スライドブロック１４）がスライド移動するよう構成し、
前記上部スライド機構は、水平面において前記フォイル片（５０）の長尺方向に対して傾斜するように設けた前記上面案内溝（３１）に対して前記ブロック体（スライドブロック１４）がスライド移動するよう構成することで、
前記ブロック体（スライドブロック１４）の移動に応じて前記フォイル支持部材（３０）が傾斜し、前記フォイル片（５０）の前方部と前記無端状金網との間のフォイル角度θに変化を与えることを特徴としている。
【００１５】
請求項６は、請求項１乃至請求項４のいずれかに記載の脱水フォイル装置において、
前記前方スライド機構は、水平方向に対して傾斜するように前記フォイル支持部材（３０）に設けた前方面案内孔（３８）に対して前記ブロック体（スライドブロック１４）がスライド移動するよう構成し、
前記後方スライド機構は、水平方向に対して前記前方面案内孔（３８）と同じ方向に傾斜するように前記フォイル支持部材（３０）に設けた後方面案内孔（３３）に対して前記ブロック体（スライドブロック１４）がスライド移動するよう構成し、
前記上部スライド機構は、水平面において前記フォイル片（５０）の長尺方向に沿って設けた前記上面案内溝（３９）に対して前記ブロック体（スライドブロック１４）がスライド移動するよう構成することで、
前記ブロック体（スライドブロック１４）の移動に応じて前記フォイル支持部材（３０）が昇降動作を行うことを特徴としている。
【００１６】
請求項７は、請求項２〜請求項４のいずれかに記載の脱水フォイル装置において、
前記回転コロ（４０）は、前記ブロック体（スライドブロック１４）に固定される軸（中心軸４１）と、該軸に対して回転可能に装着されたベアリング部（４２）と、該ベアリング部（４２）の周囲に装着された環状接触部（４３）と、を備えることを特徴としている。
【００１７】
請求項８は、請求項２〜請求項４のいずれかに記載の脱水フォイル装置において、
前記回転コロ（４０）は、前記ブロック体（スライドブロック１４）に固定される軸（中心軸４１）と、該軸に対して回転可能に装着されたリング状の環状接触部（４３）と、を備えることを特徴としている。
【００１８】
請求項９は、請求項７又は請求項８の脱水フォイル装置において、
前記環状接触部（４３）は樹脂で構成され、前記ベアリング部（４２）の周囲に沿って断面が湾曲突起となるよう形成されたことを特徴としている。
【００１９】
請求項１０は、請求項１〜９のいずれかに記載の脱水フォイル装置において、
前記ブロック体（スライドブロック１４）は、スライドベース（１２）に対して移動可能に嵌合し、前記スライドベース（１２）と脱水フォイル装置のボックス固定Ｔバー（６１）との間に、波状の凹凸を繰り返す板ばね（６０）を介在させることを特徴としている。
【００２０】
請求項１１は、請求項１０の脱水フォイル装置において、
前記フォイル片（５０）の長尺方向に沿って複数の板ばね（６０）を介在させることを特徴としている。
【考案の効果】
【００２１】
請求項１によれば、スライド軸（スライドシャフト２０）による水平方向の移動によりブロック体（スライドブロック１４）が移動し、可変機構を介することでブロック体（スライドブロック１４）に対して、上面に前記フォイル片（５０）が固定されたフォイル支持部材（３０）を移動（例えば、揺動や昇降）させることができる。
その際、ブロック体（スライドブロック１４）の上面に装着された上部移動体が、当接しながら上面案内溝（３１，３９）を移動するので、フォイル支持部材（３０）が適切な位置を保持しながら移動でき、ひずみが生じるのを防止してフォイル片（５０）の横ずれ防止を図ることができる。
【００２２】
請求項２によれば、上部移動体を回転コロ（４０）で形成することで、上部移動体の移動をスムーズに行うことができる。
【００２３】
請求項３によれば、前方面案内孔（３２，３８）と、ブロック体（スライドブロック１４）の前方側に装着された前方回転コロ（４０）により前方スライド機構を構成することで、ブロック体（スライドブロック１４）の移動をスムーズに行うことができる。
【００２４】
請求項４によれば、後方面案内孔（３３）と、ブロック体（スライドブロック１４）の後方側に装着された後方回転コロ（４０）により後方スライド機構を構成することで、ブロック体（スライドブロック１４）の移動をスムーズに行うことができる。
【００２５】
請求項５によれば、前方スライド機構が、水平方向に直線となるようにフォイル支持部材（３０）に設けた前方面案内孔（３２）を備え、後方スライド機構が、水平方向に対して傾斜するようにフォイル支持部材（３０）に設けた後方面案内孔（３３）を備え、上部スライド機構が、水平面において傾斜するように設けた前記上面案内溝（３１）を備えることで、ブロック体（スライドブロック１４）の移動に応じてフォイル支持部材（３０）が揺動して傾斜し、フォイル片（５０）の前方部と無端状金網とのフォイル角度θを変化させることができる。
【００２６】
請求項６によれば、前方スライド機構及び後方スライド機構について、水平方向に対して同じ方向に傾斜するように構成することで、ブロック体（スライドブロック１４）の移動に応じてフォイル支持部材（３０）の昇降動作を行うことができる。
【００２７】
請求項７によれば、回転コロ（４０）がベアリング部（４２）を備えることで、環状接触部（４３）の回転を円滑にし、ブロック体（スライドブロック１４）の移動をスムーズに行うことができる。
【００２８】
請求項８によれば、回転コロ（４０）の中心軸（４１）に対してリング状の環状接触部（４３）を直接装着することで、ベアリング部（４２）を省略することができる。
【００２９】
請求項９によれば、環状接触部（４３）を樹脂で構成し、湾曲突起を備えることで、接触面を線接触とし摩擦を軽減して移動動作をスムーズに行うことができる。
【００３０】
請求項１０によれば、スライドベース（１２）と脱水フォイル装置のボックス固定Ｔバー（６１）との間に、板ばね（６０）を装着することで、鉛直方向に生じた遊びを吸収することができる。
【００３１】
請求項１１によれば、複数の板ばね（６０）で鉛直方向に生じた遊びを吸収することができる。
【図面の簡単な説明】
【００３２】
【図１】本考案の脱水フォイル装置の構成の一部を示す側面断面説明図である。
【図２】本考案の脱水フォイル装置の構成の一部を示す平面断面説明図である。
【図３】（ａ）（ｂ）は脱水フォイル装置のフォイル部の一形態を示す断面説明図である。
【図４】脱水フォイル装置のフォイル支持部材に設けた後方面案内孔について、傾斜状況を説明するため後方面側から視た説明図である。
【図５】（ａ）（ｂ）は脱水フォイル装置のフォイル部の他の形態を示す断面説明図である。
【図６】脱水フォイル装置のスライドベースに対する板ばねの装着状態を示す説明図である。
【図７】（ａ）（ｂ）は脱水フォイル装置のフォイル部の他の形態を示す断面説明図である。
【図８】（ａ）（ｂ）は脱水フォイル装置のフォイル部の他の形態を示す断面説明図である。
【図９】（ａ）（ｂ）は脱水フォイル装置のフォイル部の他の形態を示す断面説明図である。
【図１０】（ａ）（ｂ）は脱水フォイル装置のフォイル部の他の形態を示す断面説明図である。
【図１１】（ａ）（ｂ）は脱水フォイル装置のフォイル部の他の形態を示す断面説明図である。
【図１２】（ａ）（ｂ）は脱水フォイル装置のフォイル部の他の形態を示す断面説明図である。
【図１３】抄紙機の脱水フォイル装置の斜視説明図である。
【図１４】脱水フォイル装置における脱水作用を説明するためのフォイル部及び無端金網の模式図である。
【図１５】従来の脱水フォイル装置をフォイル片の後方側からみた場合の一部に切り欠き箇所を有する背面説明図である。
【図１６】図１５の脱水フォイル装置のＢ−Ｂ断面説明図である。
【図１７】図１５の脱水フォイル装置のＣ−Ｃ断面説明図である。
【考案を実施するための形態】
【００３３】
本考案に係る抄紙機の脱水フォイル装置の実施の形態の一例について、図面を参照しながら説明する。図１は脱水フォイル装置の構成の一部を示す側面断面説明図、図２は脱水フォイル装置の平面断面説明図、図３（ａ）（ｂ）は脱水フォイル装置のフォイル部の断面説明図である。
なお、図１及び図２と図３との関係は、図３（ａ）のＡ−Ａ線矢視断面が図１となり、図３（ａ）のＢ−Ｂ線矢視断面が図２となる。
【００３４】
脱水フォイル装置は、図１に示すようなフォイル部１０が、図の表裏方向において複数列に互に平行となるように並設して構成され、その上を従来例で述べた無端状金網（図示せず）が図１の表側（前方側）から裏側（後方側）の方向に移動するようになっている。
フォイル部１０の単体は、図３に示すように、フォイル装置のステンレス製ボックスに固定された図の表裏方向に長尺となるフォイル部フレーム１１上に、同じく長尺状のスライドベース１２がピン１３により固定されている。
スライドベース１２の上面には溝部１２ａが形成され、この溝部１２ａに嵌合する凸部１４ａを底面に備えた立方体状の複数のスライドブロック１４が間隔をおいてスライドベース１２上に図３の表裏方向（図１及び図２の左右方向）に移動可能に配置されている。
【００３５】
各スライドブロック１４の中央位置にはそれぞれスライドシャフト２０が貫通し、各スライドブロック１４はスライドシャフト２０に対して等間隔にナット２１で挟んで固定されている。スライドシャフト２０同士は、バックル２２を介して連結され、バッククル２２に対するスライドシャフト２０の連結位置を調整することでスライドシャフト２０の全体の長さを調整可能としている。
スライドシャフト２０は、一端側に配置されたシャフト進退機構（図示せず）により、スライドベース１２に対して図３の表裏方向（図１及び図２の左右方向）に進退自在に構成されている。
【００３６】
スライドブロック１４が装着されたスライドベース１２上には、各スライドブロック１４を覆うように長尺状のフォイル支持部材３０が装着されている。フォイル支持部材３０の各面（上面、前方面、後方面）には、各スライドブロック１４の移動範囲に応じた上面案内溝３１，前方面案内孔３２、後方面案内孔３３がそれぞれ形成されている。フォイル支持部材３０の上面案内溝３１，前方面案内孔３２、後方面案内孔３３には、各スライドブロック１４の各面（上面、前方側面、後方側面）にそれぞれ配設された回転コロ４０が配置され、それぞれ上面案内溝３１内，前方面案内孔３２内、後方面案内孔３３内を移動可能に装着されている。
【００３７】
フォイル支持部材３０に形成された前方面案内孔３２は、水平方向に沿って穿孔された直線孔に対して両端が円弧となる長孔状に形成され、回転コロ４０の上下面が前方面案内孔３２の上壁面３２ａ及び下壁面３２ｂにそれぞれ当接するように配置されている（図３（ａ））。
【００３８】
フォイル支持部材３０に形成された後方面案内孔３３は、前方面案内孔３２と長手方向の長さを同じにした形状であるが、前方面案内孔３２が水平方向に沿って形成されていたのに対し、図３（ａ）の裏面側に水平方向に対して傾斜角度αで立ち上がる直線孔を有し両端が円弧となる長孔状で構成されている（図４参照）。これは、スライドブロック１４の移動に応じて回転コロ４０が後方面案内孔３３内を移動するに際して、フォイル支持部材３０を後方側に傾斜させるための構成である。フォイル支持部材３０を後方側に傾斜動作する詳細については後述する。
【００３９】
フォイル支持部材３０の上方裏面に形成された上面案内溝３１は、長手方向の溝の長さを前方面案内孔３２及び後方面案内孔３３の孔の長さと同じにした形状であり、図２に示すように、水平面において前記フォイル片（５０）の長尺方向に対して前方側に傾斜角度β（β＜α）で傾斜した直線孔を有し両端が円弧となる長孔状で構成されている。これも、スライドブロック１４の移動に応じて回転コロ４０が上面案内溝３１内を移動するに際して、フォイル支持部材３０を後方側に傾斜させるための構成である。
【００４０】
各回転コロ４０は、スライドブロック１４の各面に固定された中心軸４１と、中心軸４１の周囲に対して回転可能に装着された円形のベアリング部４２と、ベアリング部４２の外側周囲に装着された樹脂材から成る環状接触部４３を備えて構成されている。
環状接触部４３は、ベアリング部４２の周囲に沿って中央が円弧状に突出する湾曲突起の断面形状を備えている。
また、回転コロ４０は、ベアリング部４２を省略し、中心軸４１に対してリング状の環状接触部４３を回転可能に直接装着するように構成しても良い。
また、環状接触部４３は、樹脂材に代えて金属から構成されるものであってもよい。
【００４１】
フォイル支持部材３０の上面には、長尺方向に沿って装着されたＴバー５１に対してフォイル片５０がボルト５２（図１）により固定されている。
また、フォイル支持部材３０の前方側及び後方側には、前方面案内孔３２及び後方面案内孔３３に対して、ゴミ等の侵入を防ぐための蓋体３５が装着されている。
【００４２】
次に、フォイル片５０を水平面に対して傾斜角度（フォイル角度θ）を付けるため、フォイル支持部材３０を揺動させて後方側に傾斜させるための動作について説明する。
図３（ａ）に示すように、フォイル片５０が水平面に位置する場合、スライドブロック１４に装着された回転コロ４０が、図１及び図２に示される案内孔（前方面案内孔３２及び後方面案内孔３３）及び案内溝（上面案内溝３１）における右端に位置している。この時、フォイル片５０が固定されるフォイル支持部材３０は、上面が水平面に沿った水平状態となっている。
【００４３】
この状態からシャフト進退機構（図示せず）により、スライドシャフト２０をスライドベース１２に対して図１及び図２の左方向（図３の裏方向）へ移動させると、スライドシャフト２０に固定されたスライドブロック１４及び回転コロ４０も同時に移動する。
前方面案内孔３２内を移動する回転コロ４０は、前方面案内孔３２が水平方向に沿って形成されるためフォイル支持部材３０の鉛直方向での移動はないが、後方面案内孔３３内を移動する回転コロ４０は、後方面案内孔３２が水平方向に対して上側に角度αだけ傾斜して形成しているため、回転コロ４０の下側が後方面案内孔３３の下壁面３３ｂを押し下げる方向に力が働く。
その結果、前方面案内孔３２の回転コロの中心軸の中心Ｘが支点となってフォイル支持部材３０が揺動し、任意の位置で停止することで最大傾斜角度より小さい所望の傾斜角度にフォイル支持部材３０の位置を調整することができる。
そして、図１及び図２に示される案内孔（前方面案内孔３２及び後方面案内孔３３）及び案内溝（上面案内溝３１）における左端位置まで回転コロ４０が移動することで、最大傾斜角度（フォイル角度θ）が得られるように動作する（図３（ｂ））。
【００４４】
この時、フォイル支持部材３０の揺動に際して、フォイル支持部材３０上面に対して歪が発生しないように、フォイル支持部材３０に対する上面案内溝３１内の回転コロ４０の位置も動かす必要がある。すなわち、上面案内溝３１は、水平面において前方（図２において下方）に角度β（β＜α）だけ傾斜させて形成し、回転コロ４０の環状接触部４３が上面案内溝３１の右側面３１ａ，３１ｃ及び左側面３１ｂ，３１ｄに当接するように形成されている。そのため、フォイル支持部材３０の傾斜時において、歪を生じさせない最適位置に維持されるので、無端状金網がフォイル片５０上を高速で移動した場合においても、フォイル片５０が搬送方向に横ずれすることを確実に防止することができる。
【００４５】
上述したフォイル部の構造によれば、案内孔（前方面案内孔３２及び後方面案内孔３３）及び案内溝（上面案内溝３１）内を移動する回転コロ４０はベアリング部４２により環状接触部４３が回転するように構成したので、スライドブロック１４の移動をスムーズに行うことができる。
また、回転コロ４０の環状接触部４３の断面を円弧状とすることで、案内孔（前方面案内孔３２及び後方面案内孔３３）及び案内溝の壁面に対して面でなく線で接触することができ、接触抵抗を低減して円滑な移動を図ることができる。
【００４６】
また、上述したフォイル部の構造によれば、フォイル片５０は、Ｔバー５１を介してフォイル支持部材３０に固定されているので、フォイル片５０のみを交換することが可能な構造となっている。
したがって、フォイル片５０に亀裂が生じたような場合には、高価なフォイル片５０を含むブレード全体を交換する必要がなく、フォイル片を消耗品として交換可能になるので、補修費用の軽減を図ることができる。
【００４７】
抄紙機の脱水フォイル装置の実施の形態の他の例について、図５（ａ）（ｂ）のフォイル部の断面説明図を参照して説明する。図５（ａ）（ｂ）は、図３（ａ）（ｂ）に対応する脱水フォイル装置のフォイル部の断面説明図であり、図１〜図３と同じ構成を採る部分については同一符号を付すと共に、詳細な説明を省略する。
【００４８】
すなわち図３のフォイル部では、フォイル部フレーム１１上に長尺状のスライドベース１２を直接装着しているのに対して、図５のフォイル部では、ステンレス製ボックスに設置されたフォイル部フレーム１１に対して、ボックス固定Ｔバー６１を介して長尺状のスライドベース１２を装着する。
この例によれば、設置されたボックス固定Ｔバー６１に対して、スライドベース１２から上のフォイル部を容易に交換可能とすることができる。その反面、フォイル部フレーム１１に対してスライドベース１２を直接装着する構造でなく、ボックス固定Ｔバー６１を介在させるので、回転コロ４０を移動させてフォイル片５０の傾斜角度の調整する場合に、ボックス固定Ｔバー６１とスライドベース１２との間の鉛直方向に遊びが生じて高精度な調整が困難になるという現象が生じていた。
【００４９】
本実施例では、スライドベース１２側に長尺状の溝１２ｂを設け、溝１２ｂに板ばね６０を装着することで、ボックス固定Ｔバー６１とスライドベース１２との間に板ばね６０を介在させるように構成する。
板ばね６０は、図６に示すように、凹凸（山と谷）の波が繰り返す形状で構成され、凹凸形状が鉛直方向に繰り返すように、端部をネジ６２でスライドベース１２の溝１２ｂに固定する。板ばね６０は、フォイル片５０と同じ長さに長尺状で作成してもよいし、板ばね６０の長さを短く構成し、溝１２ｂ内に複数個の板ばねを設置するようにしてもよい。
【００５０】
上述の構造によれば、ボックス固定Ｔバー６１に対してスライドベース１２側（フォイル部）を装着するに際し、ボックス固定Ｔバー６１とスライドベース１２との間の鉛直方向に遊びが生じる場合でも、板ばね６０のバネ作用により、ボックス固定Ｔバー６１に対してスライドベース１２を押し上げて確実な装着を行うことができる。
【００５１】
抄紙機の脱水フォイル装置の実施の形態の他の例について、図７（ａ）（ｂ）のフォイル部の断面説明図を参照して説明する。図７（ａ）（ｂ）は、図３（ａ）（ｂ）に対応する脱水フォイル装置のフォイル部の断面説明図であり、図１〜図３と同じ構成を採る部分については同一符号を付すと共に、詳細な説明を省略する。
【００５２】
本実施例では、図３の前方面案内孔３２に代えて前方面案内溝３６を形成し、前方面案内溝３４を移動する部分も回転コロ４０に代えて、頂点が円形の円錐状突起４６をスライドブロック１４に設けている。
前方面案内溝３６は、フォイル支持部材３０の前方面側の内側壁に水平方向に一直線状に設けられた溝により構成され、この溝に円錐状突起４６が水平方向に移動可能に嵌合するようになっている。前方面案内溝３６の断面は、図７に示すように、谷底を円弧状とするとともに、円錐状突起４６の斜面より緩やかな傾斜面３６ａを有した形状に形成されている。これは、円錐状突起４６に対してフォイル支持部材３０が傾く際の遊び部分を設けるためである。
また、前方面案内溝３６の水平方向の長さは、前方面案内孔３２と同じ長さとなっている。
【００５３】
上述の構造によれば、スライドブロック１４を案内するための機構として、孔（前方面案内孔３２）でなくフォイル支持部材３０の内側壁の溝（前方面案内溝３６）で構成できるので、前方側のカバー３５（図３）を省略することができ、部品点数を少なくすることができる。
【００５４】
抄紙機の脱水フォイル装置の実施の形態の他の例について、図８（ａ）（ｂ）のフォイル部の断面説明図を参照して説明する。図８（ａ）（ｂ）は、図７（ａ）（ｂ）に対応する脱水フォイル装置のフォイル部の断面説明図であり、図７と同じ構成を採る部分については同一符号を付すと共に、詳細な説明を省略する。
【００５５】
図８の例では、図７と同様に前方面案内孔３２（図３）に代えて前方面案内溝３６を形成するとともに、後方面案内孔３３（図７）に代えて後方面案内溝３７を形成する。後方面案内溝３７を移動する部分も回転コロ４０に代えて、頂点が円形の円錐状突起４７をスライドブロック１４に設けている。
後方面案内溝３７は、フォイル支持部材３０の後方面側の内側壁に図８の表側から裏側方向に傾斜して上がるように設けられた溝により構成され、この溝に円錐状突起４７が移動可能に嵌合するようになっている。後方面案内溝３７の断面は、図８に示すように、谷底を円弧状とするとともに、円錐状突起４７の斜面より緩やかな傾斜面３７ａを有した形状に形成されている。これは、円錐状突起４７に対してフォイル支持部材３０が傾く際の遊び部分を設けるためである。
また、前方面案内溝３７の水平方向の長さは、前方面案内孔３２と同じ長さとなっている。
【００５６】
また、この例では、図５と同様に、フォイル部フレーム１１上に設置されたボックス固定Ｔバー６１に対して、長尺状のスライドベース１２を装着し、スライドベース１２側に長尺状の溝１２ｂを設け、溝１２ｂに板ばね６０を介在させるように構成している。これは、図５で説明したように、ボックス固定Ｔバー６１とスライドベース１２側（フォイル部）との装着に際し、板ばね６０のバネ作用により、確実な装着を担保するためである。
【００５７】
上述の構造によれば、スライドブロック１４を案内するための機構として、孔（前方面案内孔３２及び後方面案内孔３３）でなくフォイル支持部材３０の内側壁の溝（前方面案内溝３６及び後方面案内溝３７）で構成できるので、前方及び後方の両側におけるカバー３５，３５（図３）を省略することができ、更なる部品点数の削減を行うことができる。
【００５８】
抄紙機の脱水フォイル装置の実施の形態の他の例について、図９（ａ）（ｂ）のフォイル部の断面説明図を参照して説明する。図９（ａ）（ｂ）は、図３（ａ）（ｂ）に対応する脱水フォイル装置のフォイル部の断面説明図であり、図１〜図３と同じ構成を採る部分については同一符号を付すと共に、詳細な説明を省略する。
すなわち、図９の例では、Ｔバー５１（図３）を省略してフォイル片５０を直接フォイル支持部材３０に直接装着している。これにより、部品点数を削減することができる。
【００５９】
抄紙機の脱水フォイル装置の実施の形態の他の例について、図１０（ａ）（ｂ）のフォイル部の断面説明図を参照して説明する。図１０（ａ）（ｂ）は、図９（ａ）（ｂ）に対応する脱水フォイル装置のフォイル部の断面説明図であり、図９と同じ構成を採る部分については同一符号を付すと共に、詳細な説明を省略する。
図１０の例では、図９の構成に対して、図５と同様に、フォイル部フレーム１１上に設置されたボックス固定Ｔバー６１に対して、長尺状のスライドベース１２を装着し、スライドベース１２側に長尺状の溝１２ｂを設け、溝１２ｂに板ばね６０を介在させるように構成している。
【００６０】
抄紙機の脱水フォイル装置の実施の形態の他の例について、図１１（ａ）（ｂ）のフォイル部の断面説明図を参照して説明する。図１１（ａ）（ｂ）は、図３（ａ）（ｂ）に対応する脱水フォイル装置のフォイル部の断面説明図であり、図１〜図３と同じ構成を採る部分については同一符号を付すと共に、詳細な説明を省略する。
【００６１】
本実施例では、図３の前方面案内孔３２に代えて、後方面案内孔３３と同様に、図１１の表側から裏側方向に傾斜（角度αだけ傾斜）して立ち上がる孔とした前方面案内孔３８を形成している。すなわち、図４の後方面案内孔３３と同じ形状の前方面案内孔３８が後方面案内孔３３と対向位置に形成されている。
また、図３の上面案内溝（前方傾斜）３１に代えて、フォイル片５０の長尺方向に沿って直線状となる上面案内溝（長尺方向直線）３９をフォイル支持部材３０の上方裏面に形成する。
【００６２】
したがって、図１１（ａ）の状態から、スライドシャフト２０をスライドベース１２に対して図１１の裏方向へ移動させると、スライドシャフト２０に固定されたスライドブロック１４及び回転コロ４０も移動する。
前方面案内孔３８内を移動する回転コロ４０、及び、後方面案内孔３３内を移動する回転コロ４０は、前方面案内孔３８及び後方面案内孔３２が水平方向に対して上側に角度αだけ傾斜して形成しているため、回転コロ４０，４０の下側が前方面案内孔３８の下壁面３３ｂ〜３３ｄ及び後方面案内孔３３の下壁面３３ｂ〜３３ｄ（図４）を押し下げる方向に力が働き、フォイル支持部材３０を含むフォイル部全体を下降させて図１１（ｂ）の状態になる。
また、上面案内溝３９内を移動する回転コロ４０は、上面案内溝３９がフォイル片５０の長尺方向に沿って直線状に形成されているので、スライドブロック１４に対するフォイル支持部材３０の位置は同じ位置が維持される。
【００６３】
本実施例では、前方面案内孔３８及び後方面案内孔３３を同じ傾斜角度で形成することで、スライドブロック１４及び回転コロ４０の移動によりフォイル支持部材３０（フォイル部）の上下昇降のみが行われる。
脱水フォイル装置を構成する複数のフォイル片においては、図１〜図１０に示したように、走行する無端状金網に対してフォイル角θを設定することが行われるが、複数のフォイル片５０が並べられた脱水フォイル装置においては、傾斜でなく上下にのみ昇降するフォイル片を必要とする位置も存在する。このような場合には、図１１のフォイル部の構造が有効になる。
【００６４】
なお、本実施例では、上面案内溝３９内を嵌合しながら移動する部材（移動体）として、抵抗削減のため回転コロ４０を使用したが、フォイル片５０の長尺方向に沿って直線形状に形成された上面案内溝３９の場合、上面案内溝３９の側面壁を押す大きな力が発生することはないので、回転面を有しない突起部（図示せず）をスライドブロック１４の上面に設け、この突起部が上面案内溝３９内を嵌合して移動するように構成してもよい。
また、前方面案内孔３８内や後方面案内孔３３内を移動する回転コロ４０についても、フォイル支持部材３０を上下に昇降させるだけで揺動させるものでないので、周囲に配置される環状接触部４３について、湾曲突起を設けることなくフラット形状に構成（案内孔の上下壁面に面接触する）してもよい。
【００６５】
抄紙機の脱水フォイル装置の実施の形態の他の例について、図１２（ａ）（ｂ）のフォイル部の断面説明図を参照して説明する。図１２（ａ）（ｂ）は、図１１（ａ）（ｂ）に対応する脱水フォイル装置のフォイル部の断面説明図であり、図１１と同じ構成を採る部分については同一符号を付すと共に、詳細な説明を省略する。
【００６６】
図１２の例では、図１１の構成に対して、図５及び図１０と同様に、フォイル部フレーム１１上に設置されたボックス固定Ｔバー６１に対して、長尺状のスライドベース１２を装着し、スライドベース１２側に長尺状の溝１２ｂを設け、溝１２ｂに板ばね６０を介在させるように構成している。
上下昇降の動作のみが行われる構成は、図１１の例と同じである。
【符号の説明】
【００６７】
１０…フォイル装置、  １１…フォイル部フレーム、  １２…スライドベース、  １４…スライドブロック（ブロック体）、  ２０…スライドシャフト（スライド軸）、  ３０…フォイル支持部材、  ３１…上面案内溝（前方傾斜）、  ３２…前方面案内孔（水平）、  ３３…後方面案内孔（傾斜）、  ３６…前方面案内溝（水平）、  ３７…後方面案内溝（傾斜）、  ３８…前方面案内孔（傾斜）、  ３９…上面案内溝（長尺方向直線）、  ４０…回転コロ（移動体）、  ４２…ベアリング部、  ４３…環状接触部、  ６０…板ばね、  ６１…ボックス固定Ｔバー。
【図１】
0003208155.tif 000003
【図２】
0003208155.tif 000004
【図３】
0003208155.tif 000005
【図４】
0003208155.tif 000006
【図５】
0003208155.tif 000007
【図６】
0003208155.tif 000008
【図７】
0003208155.tif 000009
【図８】
0003208155.tif 000010
【図９】
0003208155.tif 000011
【図１０】
0003208155.tif 000012
【図１１】
0003208155.tif 000013
【図１２】
0003208155.tif 000014
【図１３】
0003208155.tif 000015
【図１４】
0003208155.tif 000016
【図１５】
0003208155.tif 000017
【図１６】
0003208155.tif 000018
【図１７】
0003208155.tif 000019
【手続補正書】
【提出日】平成28年10月20日(2016.10.20)
【手続補正１】
【補正対象書類名】実用新案登録請求の範囲
【補正対象項目名】全文
【補正方法】変更
【補正の内容】
【実用新案登録請求の範囲】
【請求項１】
複数の長尺状のフォイル片に対して交差して前方側から後方側に移動する無端状金網を備え、前記無端状金網により搬送される紙料から水分を除去する抄紙機の脱水フォイル装置において、
前記フォイル片の長尺方向にスライド移動可能に装着されたスライド軸と、
前記スライド軸に固定される複数のブロック体と、
前記ブロック体に対して可変機構を介して移動可能に装着され、上面に前記フォイル片が固定されたフォイル支持部材と、を備え、
前記スライド軸の水平方向の移動により、前記フォイル支持部材が前記ブロック体に対して移動するとともに、
前記可変機構は、
前記ブロック体の上面に装着された上部移動体と、前記フォイル支持部材の裏面側に形成して前記上部移動体が当接して移動する上面案内溝とで構成される上部スライド機構と、
前記前方側において、前記フォイル支持部材に対して前記ブロック体がスライド移動する前方スライド機構と、
前記後方側において、前記フォイル支持部材に対して前記ブロック体がスライド移動する後方スライド機構と、
を含むことを特徴とする脱水フォイル装置。
【請求項２】
前記上部スライド機構は、
前記ブロック体の上面側に装着された上部移動体は、周囲が回転する回転コロで形成する
請求項１に記載の脱水フォイル装置。
【請求項３】
前記前方スライド機構は、
前記ブロック体の前方側に装着された前方回転コロと、前記フォイル支持部材に形成して前記前方回転コロが当接して移動する前方面案内孔とで構成する
請求項１又は請求項２に記載の脱水フォイル装置。
【請求項４】
前記後方スライド機構は、
前記ブロック体の後方側に装着された後方回転コロと、前記フォイル支持部材に形成して前記後方回転コロが当接して移動する後方面案内孔とで構成する
請求項１〜請求項３のいずれかに記載の脱水フォイル装置。
【請求項５】
前記前方スライド機構は、水平方向に直線となるように前記フォイル支持部材に設けた前方案内孔に対して前記ブロック体がスライド移動するよう構成し、
前記後方スライド機構は、水平方向に対して傾斜するように前記フォイル支持部材に設けた後方案内孔に対して前記ブロック体がスライド移動するよう構成し、
前記上部スライド機構は、水平面において前記フォイル片の長尺方向に対して傾斜するように設けた前記上面案内溝を前記ブロック体がスライド移動するよう構成することで、
前記ブロック体の移動に応じて前記フォイル支持部材が傾斜し、前記フォイル片の前方部と前記無端状金網との間のフォイル角度に変化を与える
請求項１乃至請求項４のいずれかに記載の脱水フォイル装置。
【請求項６】
前記前方スライド機構は、水平方向に対して傾斜するように前記フォイル支持部材に設けた前方面案内孔に対して前記ブロック体がスライド移動するよう構成し、
前記後方スライド機構は、水平方向に対して前記前方面案内孔と同じ方向に傾斜するように前記フォイル支持部材に設けた後方面案内孔に対して前記ブロック体がスライド移動するよう構成し、
前記上部スライド機構は、水平面において前記フォイル片の長尺方向に沿って設けた前記上面案内溝を前記ブロック体がスライド移動するよう構成することで、
前記ブロック体の移動に応じて前記フォイル支持部材が昇降動作を行う
請求項１乃至請求項４のいずれかに記載の脱水フォイル装置。
【請求項７】
前記回転コロは、前記ブロック体に固定される軸と、該軸に対して回転可能に装着されたベアリング部と、該ベアリング部の周囲に装着された環状接触部と、を備える請求項２〜請求項４のいずれかに記載の脱水フォイル装置。
【請求項８】
前記回転コロは、前記ブロック体に固定される軸と、該軸に対して回転可能に装着されたリング状の環状接触部と、を備える請求項２〜請求項４のいずれかに記載の脱水フォイル装置。
【請求項９】
前記環状接触部は樹脂で構成され、前記ベアリング部の周囲に沿って断面が湾曲突起となるよう形成された請求項７に記載の脱水フォイル装置。
【請求項１０】
前記ブロック体は、スライドベースに対して移動可能に嵌合し、前記スライドベースと脱水フォイル装置のボックス固定Ｔバーとの間に、波状の凹凸を繰り返す板ばねを介在させる
請求項１〜９のいずれかに記載の脱水フォイル装置。
【請求項１１】
前記フォイル片の長尺方向に沿って複数の板ばねを介在させる
請求項１０に記載の脱水フォイル装置。
【手続補正２】
【補正対象書類名】明細書
【補正対象項目名】００１８
【補正方法】変更
【補正の内容】
【００１８】
請求項９は、請求項７の脱水フォイル装置において、
前記環状接触部（４３）は樹脂で構成され、前記ベアリング部（４２）の周囲に沿って断面が湾曲突起となるよう形成されたことを特徴としている。